(57)【要約】【課題】災害時等に伴う電源消失時であっても、施設内残留者の安否確認を迅速且つ正確に行う。【解決手段】本発明にかかる安否確認端末は、施設内残留者の安否確認を行う安否確認端末であって、施設の入場者及び退出者を管理するための入退出情報を取得する第１の取得手段と、入退出情報に基づいて、施設内残留者のうち安否未確認者を含む安否確認情報を生成する生成手段と、施設内残留者の保有する情報保存媒体から、施設内残留者の安否確認を示す情報を取得する第２の取得手段と、安否確認を示す情報に基づいて、安否確認情報を更新する更新手段と、安否確認情報を出力する出力手段と、蓄電手段とを有する。【選択図】図３
2015049632.tif 000002
【特許請求の範囲】
【請求項１】
施設内残留者の安否確認を行う安否確認端末であって、
施設の入場者及び退出者を管理するための入退出情報を取得する第１の取得手段と、
前記入退出情報に基づいて、施設内残留者のうち安否未確認者を含む安否確認情報を生成する生成手段と、
施設内残留者の保有する情報保存媒体から、該施設内残留者の安否確認を示す情報を取得する第２の取得手段と、
前記安否確認を示す情報に基づいて、前記安否確認情報を更新する更新手段と、
前記安否確認情報を出力する出力手段と、
蓄電手段と、
を有することを特徴とする安否確認端末。
【請求項２】
前記第１の取得手段は、入退出管理システムから、一定期間毎に、前記入退出情報を取得すること、
を特徴とする請求項１記載の安否確認端末。
【請求項３】
前記第２の取得手段は、読取装置との接続を介して、前記情報保存媒体の識別情報を取得し、
前記更新手段は、前記識別情報に対応する施設内残留者を安否確認者として、前記安否確認情報を更新すること、
を特徴とする請求項１又は２記載の安否確認端末。
【請求項４】
施設内残留者の安否確認を行う安否確認端末に、
施設の入場者及び退出者を管理するための入退出情報を取得する第１の取得手段と、
前記入退出情報に基づいて、施設内残留者のうち安否未確認者を含む安否確認情報を生成する生成手段と、
施設内残留者の保有する情報保存媒体から、該施設内残留者の安否確認を示す情報を取得する第２の取得手段と、
前記安否確認を示す情報に基づいて、前記安否確認情報を更新する更新手段と、
前記安否確認情報を出力する出力手段として機能させるための安否確認プログラム。
【発明の詳細な説明】
【技術分野】
【０００１】
本発明は、安否確認端末及び安否確認プログラムに関する。
【背景技術】
【０００２】
近年、災害時における従業員等の安否を迅速に把握するための安否確認システムが注目されている。特に、社屋、工場、事業所などの施設には多くの従業員等が勤務しており、災害発生時、まず迅速な初動体制を確立するためには、施設内残留者の安否確認が非常に重要となる。
【０００３】
具体的に、防災管理者は、災害発生時、施設内に現時点一体何人の残留者が存在するのか、残留者は誰なのか、また、残留者の安否確認は取れたのか等々を、迅速且つ正確に把握する必要がある。
【０００４】
これに関する技術として、例えば、特許文献１には、災害の発生、残留者の有無などを瞬時に自動的に検出し、最良の避難径路情報を直ちに自動的に報知することにより、人命救助活動の迅速化及び支援を可能にした施設内災害時の避難誘導システムが記載されている。
【０００５】
また、例えば、特許文献２には、電子メールの受信者が電子メールに組み込まれたＵＲＬをアクセスすることで、安否等の状況を入力し、自治体端末２０６は安否等の状況等を公開ウェブサーバ２０４で逐次確認することができる災害時支援システムが記載されている。
【先行技術文献】
【特許文献】
【０００６】
【特許文献１】特開２００３−１５１０５７号公報
【特許文献２】特開２００５−１２２５６２号公報
【発明の概要】
【発明が解決しようとする課題】
【０００７】
しかしながら、特許文献１、２記載の避難誘導システム及び災害時支援システムは、商用電源を要するため、例えば、災害発生に伴う停電時には、全く利用できなってしまう可能性がある。また、特許文献２記載の災害時支援システムは、被災者の安否確認に携帯電話を用いるため、携帯電話さえあれば実際には施設外からも安否確認が行えてしまうという懸念もある。
【０００８】
上記の点に鑑みて、災害時等に伴う電源消失時であっても、施設内残留者の安否確認を迅速且つ正確に行える安否確認端末等を提供することを目的とする。
【課題を解決するための手段】
【０００９】
本発明の一態様における安否確認端末は、施設内残留者の安否確認を行う安否確認端末であって、施設の入場者及び退出者を管理するための入退出情報を取得する第１の取得手段と、前記入退出情報に基づいて、施設内残留者のうち安否未確認者を含む安否確認情報を生成する生成手段と、施設内残留者の保有する情報保存媒体から、該施設内残留者の安否確認を示す情報を取得する第２の取得手段と、前記安否確認を示す情報に基づいて、前記安否確認情報を更新する更新手段と、前記安否確認情報を出力する出力手段と、蓄電手段とを有する。
【発明の効果】
【００１０】
本発明の実施の形態によれば、災害時等に伴う電源消失時であっても、施設内残留者の安否確認を迅速且つ正確に行える安否確認端末を行うことができる。
【図面の簡単な説明】
【００１１】
【図１】安否確認システム構成の一例を示す図である
【図２】安否確認端末２０のハードウェア構成の一例を示す図である。
【図３】安否確認システム１００の機能構成例の一例を示す図である。
【図４】入退出情報の一例を示す図である。
【図５】安否確認情報の一例を示す図である。
【図６】入退出情報の取得処理を示すフローチャートである。
【図７】安否確認情報の生成処理を示すフローチャートである。
【図８】安否確認処理を示すフローチャートである。
【図９】安否確認情報の出力処理を示すフローチャートである。
【図１０】表示画面（その１）の一例を示す図である。
【図１１】表示画面（その２）の一例を示す図である。
【図１２】表示画面（その３）の一例を示す図である。
【発明を実施するための形態】
【００１２】
以下、本発明の実施形態例について、添付図面を参照しながら説明する。なお、本実施形態においては、施設の一例として、多くの従業員が勤務する事業所施設を想定し、当該事業所施設において、安否確認システムを導入する。また、事業所施設内には、従業員の他、来客や業者など、外部の来訪者が存在する場合も想定する。
【００１３】
＜システム構成＞
図１は、本実施形態にかかる安否確認システム構成の一例を示す図である。図１に示す安否確認システム１００は、入退出管理システム１０、安否確認端末２０、読取装置３０、ＩＣカード４０を有する。
【００１４】
入退出管理システム１０は、平常時より、事業所施設の入場者及び退場者を管理するためのシステムである。事業所施設内に従業員が入場する場合、各々の従業員に付与されているＩＣカード４０（例えば、社員証）を、事業所施設の各ゲートに設けられた入退出管理用の読取装置で読み取らせる。また、事業所施設内に外部からの来訪者が入場する場合、ゲート受付で渡されたＩＣカード４０（例えば、来訪者証）を、読取装置で読み取らせる。このようにして、入退出管理システム１０は、全入場者の入場及び退出状況を管理する。
【００１５】
安否確認端末２０は、災害時（又は災害訓練時）、事業所施設内の残留者の状況（人数、氏名、安否確認の有無等）を管理するための端末装置である。防災管理者は、災害時、安否確認端末２０を用いて、事業所施設内に現時点一体何人の残留者が存在するのか、残留者は誰なのか、また、残留者の安否確認は取れたのか等々の確認を行う。なお、安否確認端末２０は、災害時の使用を想定するため、商用電源消失時でも稼働できるよう、バッテリー（二次電池）を内蔵すると共に、避難場所等へ容易に持ち出せるよう携帯性に優れたノートＰＣ、タブレット端末などの携帯型端末により実現される。
【００１６】
読取装置３０は、災害時、残留者の安否確認を行うため、社員証や来訪者証などのＩＣカード４０から、カード内情報（例えば、固有なカードＩＤ）を読み取る装置である。読取装置３０は、例えば、カード内情報を読み取るためのハンディターミナル３０ａ（接触読取式又は非接触読取式を含む）により実現される。
【００１７】
また、ＩＣカード４０が無線ＩＣタグ（例えば、ＲＦＩＤアクティブタグ）を有する場合、読取装置３０は、大量のＩＣカード４０をまとめて読み取るための無線式読取装置３２ｂなどでもよい。無線式読取装置３２ｂの上には、ダンボールなどの箱が設置され、ＩＣカード４０が箱内に投入されると、無線式読取装置３２ｂは、無線通信を介し、箱内のＩＣカード４０を迅速に読み取ることができる。
【００１８】
なお、本実施形態にかかる読取装置３０は、商用電源消失時でも稼働できるように、ＵＳＢケーブルを介したＵＳＢ通信を用いて、安否確認端末２０とのデータ通信を行う。但し、ＵＳＢ通信に限るものではなく、物理ケーブルを介しない無線通信を用いてデータ通信を行うことも可能である。
【００１９】
ＩＣカード４０は、例えば、社員証や来訪者証などのＩＣカードとして実現され、読取装置３０により読み取り可能な情報が記録される情報保存媒体である。ＩＣカード保有者を特定するため、ＩＣカード４０には、少なくとも、カードＩＤが記録されている。
【００２０】
（ハードウェア）
図２は、本実施形態にかかる安否確認端末２０のハードウェア構成の一例を示す図である。図２に示す安否確認端末２０は、主要な構成として、ＣＰＵ２１、ＲＯＭ２２、ＲＡＭ２３、ＨＤＤ２４、インターフェース２５、入力装置２６、表示装置２７、通信装置２８及び蓄電装置２９を有する。
【００２１】
ＣＰＵ２１は、マイクロプロセッサ及びその周辺回路から構成され、装置全体を制御する回路である。また、ＲＯＭ２２は、ＣＰＵ２１で実行される所定の制御プログラムを格納するメモリである。また、ＲＡＭ２３は、ＣＰＵ２１がＲＯＭ２２に格納された所定の制御プログラムを実行して各種の制御を行うときの作業領域として使用するメモリである。
【００２２】
ＨＤＤ２４は、ＯＳや各種プログラムを含む各種情報を格納する装置であり、不揮発性の記憶装置である。
【００２３】
インターフェース２５は、ＵＳＢなど、外部機器（例えば、読取装置３０）と接続するためのインターフェースである。
【００２４】
入力装置２６は、ユーザが各種入力操作を行うための装置である。
【００２５】
表示装置２７は、各種データを表示画面に表示する装置である。
【００２６】
通信装置２８は、ネットワークを介して他の機器（例えば、入退出管理システム１０、読取装置３０）との通信を行う装置である。有線ネットワークや無線ネットワークなど含む各種ネットワーク形態に応じた通信をサポートする。
【００２７】
蓄電装置２９は、商用電源消失時でも安否確認端末２０が稼働できるよう、例えば、平常時の商用電源などから蓄電を行うバッテリー装置である。
【００２８】
（機能）
図３は、本実施形態にかかる安否確認システム１００の機能構成例の一例を示す図である。
【００２９】
まず、図３に示す入退出管理システム１０は、記憶部１０１を有している。入退出管理システム１０は、平常時より、記憶部１０１に、事業所施設の入場者及び退場者を管理するための入退出情報を記憶し管理することにより、事業所施設内の入退出管理を行う。
【００３０】
例えば、記憶部１０１には、カードマスタ１０１ａ、利用者マスタ１０１ｂ、部門マスタ１０１ｃ、入退出履歴１０１ｄが記憶される。なおここで、記憶部１０１のカードマスタ１０１ａ、利用者マスタ１０１ｂ、部門マスタ１０１ｃ、入退出履歴１０１ｄは、事業所施設の入場者及び退場者を管理するための情報であることから、入退出情報（入退出管理情報）と呼ぶことができる。
【００３１】
また、入退出管理システム１０は、事業所施設の入場者及び退場者を管理するためのシステムであるので、入退出管理にかかる各種機能（非図示）を有していることは言うまでもない。
【００３２】
続いて、図３に示す安否確認端末２０は、記憶部２０１、入退出情報取得部２０２、安否確認情報生成部２０３、ＩＤ情報取得部２０４、安否確認情報更新部２０５、安否確認情報出力部２０６を有している。
【００３３】
記憶部２０１は、カードマスタ２０１ａ、利用者マスタ２０１ｂ、部門マスタ２０１ｃ、入退出履歴２０１ｄ、及び、安否リスト情報２０１ｅ、安否チェック情報２０１ｆが記憶される。なおここで、記憶部２０１の安否リスト情報２０１ｅ、安否チェック情報２０１ｆは、事業所施設内に残っている残留者の安否確認を行うための情報であることから、安否確認情報と呼ぶことができる。
【００３４】
入退出情報取得部２０２は、入退出管理システム１０から、事業所施設の入場者及び退出者を管理するための入退出情報（カードマスタ１０１ａ、利用者マスタ１０１ｂ、部門マスタ１０１ｃ、入退出履歴１０１ｄ）を、一定期間毎に自動取得し、取得した入退出情報を記憶部２０１に記憶・更新する。これにより、安否確認端末２０は、入退出管理システム１０と同一の入退出情報（カードマスタ２０１ａ、利用者マスタ２０１ｂ、部門マスタ２０１ｃ、入退出履歴２０１ｄ）を保持することができる。なお、一定期間は、例えば、１分、５分毎など、可能な限り短時間であることが望ましい。
【００３５】
安否確認情報生成部２０３は、入退出情報に基づく事業所施設内の残留者の情報から、安否リスト情報２０１ｅを生成する。具体的に、安否確認情報生成部２０３は、入退出情報から残留者を抽出し、事業所施設内に残っている残留者を、安否リスト情報２０１ｅにピックアップする。
【００３６】
ＩＤ情報取得部２０４は、安否確認を行うための情報として、読取装置３０との接続を介し、ＩＣカード４０から読み取られたカードＩＤを取得する。
【００３７】
安否確認情報更新部２０５は、ＩＣカード４０からカードＩＤが取得されると、そのカードＩＤに対応する残留者を安否確認済み（安否確認者）として取り扱うべく、記憶部２０１の安否チェック情報２０１ｆに、そのカードＩＤを記録・更新する。
【００３８】
安否確認情報出力部２０６は、安否確認情報を出力する。具体的に、安否リスト情報２０１ｅ及び安否チェック情報２０１ｆを参照し、事業所施設内に残っている残留者のうち、安否確認が取れた者と、安否確認が未だ取れていない者とを、表示装置２７の表示画面上に表示出力する。また、必要に応じて、印刷媒体等に印刷出力しうる。なお、安否チェック情報２０１ｆには、安否確認済みのカードＩＤが記録されているため、安否確認者を表示する場合、入退出情報（カードマスタ２０１ａ、利用者マスタ２０１ｂ、部門マスタ２０１ｃ、入退出履歴２０１ｄ）を基にして、カードＩＤに対応する残留者（安否確認者）を特定することが可能である。
【００３９】
以上、各機能部は、安否確認端末２０を構成するコンピュータのＣＰＵ、ＲＯＭ、ＲＡＭ等のハードウェア資源上で実行されるコンピュータプログラム（例えば、安否確認アプリケーション）によって実現されるものである。「手段」、「モジュール」、「ユニット」、又は「回路」などと読替えてもよい。
【００４０】
（各種データ例）
図４は、本実施形態にかかる入退出情報の一例を示す図である。上述したように、入退出情報は、入退出管理システム１０の記憶部１０１及び安否確認端末２０の記憶部２０１に記憶される情報であって、具体的には、カードマスタ１０１ａ、利用者マスタ１０１ｂ、部門マスタ１０１ｃ、入退出履歴１０１ｄである。安否確認端末２０は、入退出管理システム１０から一定期間毎に入退出情報を取得することで、入退出管理システム１０と同一の入退出情報を保持する。
【００４１】
カードマスタ１０１ａは、「カードＩＤ」、「利用者ＩＤ」、「カード有効期限（開始）」、「カード有効期限（終了）」、「カード種類」などのデータを保持する。このうち、「カード種類」は、１６．２５ＭＨｚ（ＨＦ）、９２０ＭＨｚ（ＵＨＦ）、３００ＭＨｚアクティブタグなどがある。
【００４２】
利用者マスタ１０１ｂは、「利用者ＩＤ」、「利用者氏名」、「性別」、「生年月日」、「部門ＩＤ」、「メールアドレス」などのデータを保持する。
【００４３】
部門マスタ１０１ｃは、「部門ＩＤ」、「部門名称」、「種別」、「避難地区」などのデータを保持する。このうち、「避難地区」は、部門毎に予め指定されている避難場所を示すものである。また、「種別」は、例えば、社員、常駐業者、構内他社、来訪者などがある。
【００４４】
入退出履歴１０１ｄは、「カードＩＤ」、「利用者ＩＤ」、「種別」、「利用者氏名」、「部門名称」、「ゲート名称」、「入退方向」、「認証時刻」などのデータを保持する。このうち、「種別」は、例えば、社員、常駐業者、構内他社、来訪者などがある。
【００４５】
なお、入退出情報のうち、特に入退出管理システム１０の入退出履歴１０１ｄは、日々蓄積されることから、膨大なデータ量になる。一方、安否確認端末２０側では、現時点での事業所施設内残留者を抽出できればよいため、入退出履歴１０１ｄに関しては必ずしも入退出管理システム１０と同一の全データを保有する必要はない。よって、安否確認端末２０側では、入退出履歴１０１ｄについては、入退出管理システム１０から、例えば、直近（過去ｘ日分等）の入退出履歴データのみを取得するようにする。これにより、安否確認端末２０側では、データ取得時間及びデータ保有量の削減を図ることができる。
【００４６】
図５は、本実施形態にかかる安否確認情報の一例を示す図である。上述したように、安否確認情報は、事業所施設内に残っている残留者の安否確認を行うための情報であって、具体的には、安否確認端末２０の記憶部２０１に記憶される安否リスト情報２０１ｅ、安否チェック情報２０１ｆである。
【００４７】
安否リスト情報２０１ｅは、「カードＩＤ」、「利用者ＩＤ」、「種別」、「利用者氏名」、「部門名称」、「入場時刻」、「退場時刻」などのデータを保持する。安否リスト情報２０１ｅは、入退出情報の入退出履歴２０１ｄのうち、あるカードＩＤで「入退方向」が“入場”且つ「認証時刻」が記録されているデータは存在するにも関わらず、同じカードＩＤで「入退方向」が“退場”且つ「認証時刻」が記録されているデータが存在していない履歴を検索することで、事業所施設内に残っている残留者が抽出される（残留者リストともいえる）。よって、安否リスト情報２０１ｅの「退場時刻」は空白になっている。
【００４８】
安否チェック情報２０１ｆは、「カードＩＤ」、「安否確認（チェック）時刻」、「安否確認（チェック）種別」などのデータを保持する。安否チェック情報２０１ｆは、安否確認が取れた者を示す記録である（安否確認済み者リストともいえる）。安否確認は、従業員や来訪者の保有するＩＣカード４０（カードＩＤ）が読取装置３０により読み取られることで実施される。よって、「安否確認（チェック）時刻」は、ＩＣカード４０の読取時刻となる。また、「安否確認（チェック）種別」は、どのような方法や形態で安否確認がなされたかを示すもので、例えば、読取装置３０ａを用いた安否確認、読取装置３０ｂを用いた安否確認などがある。また、防災管理者が本人確認を直接行って、安否確認端末２０の管理画面から安否確認が入力されるという方法もある。
【００４９】
＜情報処理＞
本実施形態にかかる安否確認システム１００の情報処理について説明する。以下、（１）入退出情報の取得処理、（２）安否確認情報の生成処理、（３）安否確認処理、（４）安否確認情報の出力処理の順に説明していく。
【００５０】
（１）入退出情報の取得処理
図６は、本実施形態にかかる入退出情報の取得処理を示すフローチャートである。なお、入退出情報の取得処理は、日頃の平常時から実行される。
【００５１】
Ｓ１：安否確認端末２０（入退出情報取得部２０２）は、入退出情報の取得時間になったか否かを判定する。なお、取得時間は、例えば、１分、５分毎、又は特定の時刻にするなど、任意の設定が可能である。
【００５２】
Ｓ２：安否確認端末２０（入退出情報取得部２０２）は、入退出情報の取得時間になったと判定すると、入退出管理システム１０（記憶部１０１）から、入退出情報（カードマスタ１０１ａ、利用者マスタ１０１ｂ、部門マスタ１０１ｃ、入退出履歴１０１ｄ）を取得する。なお、入退出情報の取得方法は、有線又は無線を含むネットワーク経由で取得できる。
【００５３】
Ｓ３：安否確認端末２０（入退出情報取得部２０２）は、入退出管理システム１０から、入退出情報を取得すると、取得した入退出情報を、記憶部２０１の入退出情報（カードマスタ２０１ａ、利用者マスタ２０１ｂ、部門マスタ２０１ｃ、入退出履歴２０１ｄ）として記憶・更新する。
【００５４】
なお、災害時に商用電源の供給が停止した場合、入退出管理システム１０は動作を停止してしまう可能性がある。このため、安否確認端末２０は、平常時、入退出管理システム１０から一定期間毎に入退出情報を取得することで、入退出管理システム１０と同一の入退出情報を保持することができる。
【００５５】
（２）安否確認情報の生成処理
図７は、本実施形態にかかる安否確認情報の生成処理を示すフローチャートである。安否確認情報の生成処理は、災害時（又は災害訓練時）、防災管理者が安否確認端末２０を用いて安否確認を実施するに際して実行される。
【００５６】
Ｓ１１：安否確認端末２０（安否確認情報生成部２０３）は、入退出情報取得部２０２が入退出情報の取得を終了したか否かを判定する。
【００５７】
Ｓ１２：安否確認端末２０（安否確認情報生成部２０３）は、まず記憶部２０１の安否リスト情報２０１ｅ及び安否チェック情報２０１ｆをリセット（初期化）する。例えば、前回使用したデータが残っている場合があるからである。
【００５８】
Ｓ１３：安否確認端末２０（安否確認情報生成部２０３）は、記憶部２０１に記憶される入退出情報のうち入退出履歴２０１ｄから、事業所施設内の残留者を抽出する（例えば、図５参照）。残留者は、入退出情報の入退出履歴２０１ｄのうち、あるカードＩＤで「入退方向」が“入場”且つ「認証時刻」が記録されているデータが存在するにも関わらず、同じカードＩＤで「入退方向」が“退場”且つ「認証時刻」が記録されているデータが存在していない履歴を検索することで抽出できる。
【００５９】
Ｓ１４：安否確認端末２０（安否確認情報生成部２０３）は、記憶部２０１に記憶される安否リスト情報２０１ｅに抽出した残留者を登録する（例えば、図５参照）。
【００６０】
（３）安否確認処理
図８は、本実施形態にかかる安否確認処理を示すフローチャートである。安否確認処理は、災害時、読取装置３０から残留者の保有するＩＣカード４０のカードＩＤを読み取ることで実行される。
【００６１】
Ｓ２１：安否確認端末２０（ＩＤ情報取得部２０４）は、読取装置３０からカードＩＤを取得したか否かを判定する。例えば、防災管理者がハンディターミナル３０ａを用いて、残留者のＩＣカード４０を読み取ることでカードＩＤが取得される。また、例えば、ＩＣカード４０が無線式読取装置３２ｂの上に設置された箱内に投入されることで、カードＩＤが取得される。
【００６２】
Ｓ２２：安否確認端末２０（安否確認情報更新部２０５）は、読取装置３０からカードＩＤを取得すると、記憶部２０１の安否チェック情報２０１ｆを更新する。具体的には、カードＩＤと、カードＩＤ取得時刻である安否確認（チェック）時刻、カードＩＤ取得方法である安否確認（チェック）種別を、安否チェック情報２０１ｆに記録する（例えば、図５参照）。
【００６３】
（４）安否確認情報の出力処理
図９は、本実施形態にかかる安否確認情報の出力処理を示すフローチャートである。安否確認情報の出力処理は、災害時、防災管理者が安否確認端末２０を用いて安否確認情報を参照するに際して実行される。
【００６４】
Ｓ３１：安否確認端末２０（安否確認情報出力部２０６）は、安否確認情報の出力指示があったか否かを判定する。なお、防災管理者は、安否確認端末２０の安否確認アプリケーション上、例えば、「安否確認表示」とのボタン操作を行うことで、安否確認情報の出力指示を実行することができる。
【００６５】
Ｓ３２：安否確認端末２０（安否確認情報出力部２０６）は、安否確認情報の出力指示があったと判定すると、記憶部２０１に記憶される安否リスト情報２０１ｅ及び安否チェック情報２０１ｆを取得する。
【００６６】
Ｓ３３：安否確認端末２０（安否確認情報出力部２０６）は、安否リスト情報２０１ｅ及び安否チェック情報２０１ｆの情報を集計・編集の上、表示画面上に表示出力する。例えば、安否確認端末２０の表示画面上には、事業所施設内に残っている残留者の一覧名簿、そのうち安否確認が取れた者の名簿と、安否確認が未だ取れていない者の名簿、またそれら人数などを表示出力する。
【００６７】
なお、安否確認が取れた者とは、安否リスト情報２０１ｅに登録されている残留者のうち、安否チェック情報２０１ｆに記録されているカードＩＤの保持者である。一方、安否確認が未だ取れていない者とは、安否リスト情報２０１ｅに登録されている残留者のうち、安否チェック情報２０１ｆに記録されていないカードＩＤの保持者である。
【００６８】
＜画面例＞
図１０は、本実施形態にかかる表示画面（その１）の一例を示す図である。防災管理者は、安否確認端末２０の安否確認アプリケーションを起動させることで、例えば、図１０に示す安否確認メニュー画面１０００を表示させる。安否確認メニュー画面１０００は、「ハンディターミナル受信」１００１、「入場者更新停止」１００２、「安否確認表示」１００３、「確認者リスト消去」１００４などを含む。
【００６９】
「ハンディターミナル受信」１００１は、読取装置３０から安否確認者を受信開始するための操作ボタンである。当該操作ボタン押下により、安否確認端末２０と接続されるハンディターミナル３０ａや無線式読取装置３２ｂなどの読取装置３０から、カードＩＤの取得が開始される。
【００７０】
「入場者更新停止」１００２は、入退出管理システム１０から入退出情報を取得する動作を、一時的にＯＦＦ（又はＯＮ）に設定するための操作ボタンである。
【００７１】
「安否確認表示」１００３は、安否確認情報を参照するための操作ボタンである。例えば、事業所施設内に残っている残留者の一覧名簿、そのうち安否確認が取れた者の名簿と、安否確認が未だ取れていない者の名簿、またそれら人数などを参照できる。
【００７２】
「確認者リスト消去」１００４は、安否チェック情報２０１ｆを、手動でリセット（初期化）するための操作ボタンである。
【００７３】
図１１は、本実施形態にかかる表示画面（その２）の一例を示す図である。防災管理者は、安否確認メニュー画面１０００から、「安否確認表示」１００３を押下することで、図１１に示す安否確認状況画面２０００を表示させる。安否確認状況画面２０００は、「安否未確認者総数」２００１、「総入場中数」２００２、「種別・未確認数」２００３、「安否確認者数」２００４などを含む。
【００７４】
「安否未確認者総数」２００１は、現在時点で、事業所施設内残留者のうち、安否が未だ確認されていない残留者（安否未確認者）の総数を示す。この数字から、現在時点の事業所施設内において、どの位の数の安否が未だ確認されていない残留者が存在しているかが把握される。
【００７５】
「総入場中数」２００２は、現在時点で、事業所施設内残留者の総数を示す。この数字から、現在時点の事業所施設内において、どの位の数の残留者が存在しているかが把握される。なお、総入場中数＝安否確認者総数＋安否未確認者総数である。
【００７６】
「内訳欄」２００３は、安否が未だ確認されていない残留者数の内訳を示す。その内訳は「種別」で区分され、例えば、社員、常駐業者、来訪者、構内他社など、所属の種別毎に安否未確認者数が把握される。
【００７７】
「安否確認者数」２００４は、現在時点で、事業所施設内残留者のうち、安否が確認された残留者の総数を示す。この数字から、現在時点の事業所施設内において、どの位の数の安否が確認された残留者が存在しているかが把握される。
【００７８】
なお、「安否確認者数」２００４においては、安否確認者のうち、「登録あり／履歴あり」、「登録あり／履歴なし」、「登録なし／履歴なし」という安否確認者数の内訳も表示される。「登録あり／履歴あり」は、その安否確認者が利用者マスタ２０１ｂ上の登録を有し且つ入退出履歴２０１ｄに基づく入場履歴を有する者を示す。通常の場合、入退出管理システム１０から利用者マスタ２０１ｂ及び入退出履歴２０１ｄが取得され、入退出履歴２０１ｄの入場履歴に基づいて事業所施設内の残留者が認識されるため、このケースに該当する。
【００７９】
これに対し「登録あり／履歴なし」は、その安否確認者が利用者マスタ２０１ｂ上の登録を有するものの、入退出履歴２０１ｄに基づく入場履歴を有しない者が、安否確認を行ったケースを示す。例えば、事業所施設内への入場時、ＩＣカードの読取を省略した者、読取に失敗（エラー）した者が該当する。このような者が読取装置３０を介しＩＣカード４０が読み取られることで安否確認された場合、その者のカードＩＤは記録されるものの、そもそも入場履歴を有しないため事業所施設内の残留者として認識されていない。このため、防災管理者が「登録あり／履歴なし」を押下することで、安否確認されたカードＩＤや、その者の利用者氏名等を表示できるようにし、このようなイレギュラーなケースへの対応作業、突合せ作業を容易にできるようにした。また、事業所施設内の残留者のみならず、ケースバイケースで、利用者マスタ２０１ｂ上の登録を有する例えば全従業員を対象に安否確認を行うことも可能である。
【００８０】
また、「登録なし／履歴なし」は、その安否確認者が利用者マスタ２０１ｂ上の登録を有しない、且つ入退出履歴２０１ｄに基づく入場履歴を有しない者が、安否確認を行ったケースを示す。このような者が読取装置３０を介しＩＣカード４０が読み取られることで安否確認された場合、その者のカードＩＤは記録されるものの、そもそも利用者マスタ２０１ｂ上の登録を有しないため、その者が誰なのか特定できない上、入場履歴を有しないため事業所施設内の残留者として認識されていない。このため、防災管理者が「登録なし／履歴なし」を押下することで、少なくとも安否確認されたカードＩＤを表示できるようにし、このようなイレギュラーなケースへの対応作業、突合せ作業を容易にできるようにした。
【００８１】
図１２は、本実施形態にかかる表示画面（その３）の一例を示す図である。防災管理者は、安否確認状況画面２０００から、「内訳欄」２００３の各行を選択することで、図１２に示す安否未確認者一覧画面３０００を表示させる。安否未確認者一覧画面３０００は、「安否未確認者一覧」３００１、「検索条件入力欄」３００２、「検索」３００３、「ＣＳＶ出力」３００３などを含む。
【００８２】
「安否未確認者一覧」３００１は、安否未確認者の詳細情報を表示する。詳細情報としては、例えば、「安否確認日時」、「入場日時」、「カードＩＤ」、「利用者ＩＤ」、「利用者氏名」、「部門（所属）」、「避難地区」などがある。なお、この「安否未確認者一覧」３００１は安否未確認者の一覧を示すものであるため、「安否確認日時」は空欄状態になっている。このため、防災管理者が本人確認を直接行ったような場合には、例えば、その時の確認日時を「安否確認日時」に入力することで、安否確認端末２０に対して安否確認を入力することができる。「安否確認日時」入力後、当該安否未確認者は、安否確認者となるため、「安否未確認者一覧」３００１から除外される。
【００８３】
「検索条件入力欄」３００２は、「安否未確認者一覧」３００１の中から特定の安否未確認者を検索するための検索条件を入力する入力欄である。検索条件は、例えば、「入場日時」（日時範囲）、「カードＩＤ」、「利用者ＩＤ」、「利用者氏名」、「部門（所属）」、「避難地区」などのキーワードを指定し入力できる。検索条件入力後、「検索」３００３が押下されることで検索が行われると、「安否未確認者一覧」３００１には、検索条件に該当する安否未確認者が抽出され表示される。
【００８４】
「ＣＳＶ出力」３００４は、「安否未確認者一覧」３００１に表示されている安否未確認者の詳細情報をＣＳＶの帳票形式で印刷出力するための操作ボタンである。防災管理者は、安否未確認者一覧を、チェックリスト形式の帳票として印刷することができる。安否確認は、安否確認システム１００を利用することで行えるものの、例えば、避難場所が多数存在する場合、各避難場所で安否確認を行いたい場合がある。このような場合、安否未確認者一覧の帳票を印刷の上、各々の避難場所に配布するなどして活用することができる。
【００８５】
＜総括＞
以上、本実施形態にかかる安否確認端末２０は、事業所施設内で既存より稼働している入退出管理システム１０を利用して入退出情報を取得することで、容易に現時点での事業所施設内の在留者を把握することができる。
【００８６】
また、災害時に商用電源の供給が停止した場合、入退出管理システム１０は動作を停止してしまう可能性があるが、安否確認端末２０は、平常時、入退出管理システム１０から一定期間毎に入退出情報を取得することで、災害時にでも入退出管理システム１０と同一の入退出情報を保持することができる。
【００８７】
また、安否確認端末２０は、災害時の使用を想定するため、蓄電可能なバッテリーを内蔵するため、商用電源消失時でも継続して稼働できる。また、携帯性に優れた携帯型端末により実現されるため、避難場所等への持ち出しも容易である。
【００８８】
また、安否確認端末２０は、ハンディターミナル３０ａなどの読取装置３０から、残留者自身の保持するＩＣカード４０を読み取ることで、直接的且つ正確に、残留者の安否確認を行うことができる。
【００８９】
なお、本発明は、特定の実施形態例に限定されるものではなく、特許請求の範囲に記載された範囲内において、種々の変形及び変更が可能である。また、実施形態例の構成要素を全部又は複数を組み合わせることも可能である。
【符号の説明】
【００９０】
１０       入退出管理システム
２０       安否確認端末
２１       ＣＰＵ
２２       ＲＯＭ
２３       ＲＡＭ
２４       ＨＤＤ
２５       インターフェース
２６       入力装置
２７       表示装置
２８       通信装置
２９       蓄電装置
３０       読取装置
４０       ＩＣカード
１００    安否確認システム
１０１    記憶部
２０１    記憶部
２０２  入退出情報取得部
２０３  安否確認情報生成部
２０４  ＩＤ情報取得部
２０５  安否確認情報更新部
２０６  安否確認情報出力部
【図１】
2015049632.tif 000003
【図２】
2015049632.tif 000004
【図３】
2015049632.tif 000005
【図４】
2015049632.tif 000006
【図５】
2015049632.tif 000007
【図６】
2015049632.tif 000008
【図７】
2015049632.tif 000009
【図８】
2015049632.tif 000010
【図９】
2015049632.tif 000011
【図１０】
2015049632.tif 000012
【図１１】
2015049632.tif 000013
【図１２】
2015049632.tif 000014